(57)【要約】【課題】  メンテナンス等で物体と物体を着脱する際に、シート部材を剥がすための治具等を容易に差し込めることができ、物体の外観に傷をつけることなくシート部材を剥がすことが可能な被締結体の締結手段取付部の構造を提供する。【解決手段】  一部材２に対して皿ねじ３により被締結体４が締結された状態で、皿ねじ３の頭部３ａを装飾シール５で覆うようにした被締結体の締結手段取付部の構造１において、ねじ取付部４０には、皿ねじ３の頭部３ａが被締結体４の外観表面４ａより没入するように締結方向に凹んだ凹部４１を形成し、凹部４１の外周外側に装飾シール５が貼着される貼着部４２を形成し、貼着部４２には装飾シール５の外周側端部と重なる位置に締結方向に凹んだ溝部４３を形成したものとする。【選択図】  図１
2005331023.tif 000002
【特許請求の範囲】
【請求項１】
一部材に対して締結手段により被締結体が締結された状態で、該締結手段の頭部をシート体で覆うようにした被締結体の締結手段取付部の構造であって、
前記締結手段取付部は、締結手段の頭部が被締結体の締結手段取付け側表面より没入するように締結方向に凹んだ凹部が形成されるとともに、前記凹部の外周外側にシート体が貼着される貼着部が形成され、
前記貼着部は、該貼着部に貼着されるシート体の外周側端部と重なる位置に締結方向に凹んだ溝部が形成されたことを特徴とする被締結体の締結手段取付部の構造。
【請求項２】
前記貼着部は、被締結体の締結手段取付け側表面から少なくともシート体の厚さよりも低く凹んだ凹部とすることを特徴とする請求項１に記載の被締結体の締結手段取付部の構造。
【請求項３】
前記溝部は、貼着部の周縁に沿って形成されたことを特徴とする請求項２に記載の被締結体の締結手段取付部の構造。
【発明の詳細な説明】
【技術分野】
【０００１】
本発明は、被締結体の締結手段取付部の構造に関し、特に、被締結体をねじ部材などの締結手段で締結する際に、その締結手段の頭部を装飾シールなどにより覆い隠すようにした被締結体の締結手段取付部の構造に関する。
【背景技術】
【０００２】
従来、２つの物体を一体的に着脱可能に固定する方法として、ねじ等の締結手段で締結する方法が一般的に知られている。
【０００３】
しかしながら、単にねじで締結すると、締結された物体の取付け面にねじの頭部が露出して、そこに物を引っ掛けたり外観上見栄えが悪いという問題点があった。
【０００４】
そこで、パイプ部材などを締結する場合、ねじの取付部に別体の台座部材を設け、その台座部材によりねじの頭部を囲繞して直接露出しないようにしたものが提案されている（例えば、特許文献１を参照）。
【０００５】
また、平面な外観を有する物体を取付ける場合には、その表面からねじの頭部が露出しないように、ねじ取付部の一部を掘り下げて（いわゆる座ぐり加工等により）ねじの頭部を没入させる方法も知られている。
【０００６】
近年では、外観デザインなどの訴求に伴い、ねじの頭部を没入させることに止まらず、図２（ａ），（ｂ）に示すように、物体１２と同一色の装飾シール１５で皿ねじ１３の頭部１３ａをカバーすることで、外観を良好にするようにしたものも一般的になっている。
【特許文献１】特開２０００−２８３１２９号公報
【発明の開示】
【発明が解決しようとする課題】
【０００７】
しかしながら、皿ねじ１３の頭部１３ａに装飾シール１５を貼着した場合、メンテナンス時等に皿ねじ１３を着脱する際には装飾シール１５を剥がす必要があり、しかも、ねじ取付部１４０におけるシール貼付け面１４２と装飾シール１５との隙間は非常に小さく狭いため、装飾シール１５を剥がすためには鋭利な治具等が用いられるため、装飾シール１５を剥がす時に物体１４の外観に傷をつけてしまうという問題があった。
【０００８】
本発明は、上記従来の問題点に鑑みてなされたものであって、メンテナンス等で物体と物体を着脱する際に、シート部材を剥がすための治具等を容易に差し込めることができ、物体の外観に傷をつけることなくシート部材を剥がすことが可能な被締結体の締結手段取付部の構造を提供することを目的とするものである。
【課題を解決するための手段】
【０００９】
本発明は、被締結体の締結手段取付部の構造に係り、一部材に対して締結手段により被締結体が締結された状態で、該締結手段の頭部をシート体で覆うようにした被締結体の締結手段取付部の構造であって、前記締結手段取付部は、締結手段の頭部が被締結体の締結手段取付け側表面より没入するように締結方向に凹んだ凹部が形成されるとともに、前記凹部の外周外側にシート体が貼着される貼着部が形成され、前記貼着部は、該貼着部に貼着されるシート体の外周側端部と重なる位置に締結方向に凹んだ溝部が形成されたことを特徴とするものである。
【００１０】
また、前記貼着部は、被締結体の締結手段取付け側表面から少なくともシート体の厚さよりも低く凹んだ凹部とすることが好ましい。
さらに、前記溝部は、貼着部の周縁に沿って形成されることが好ましい。
【発明の効果】
【００１１】
本発明の被締結体の締結手段取付部の構造によれば、被締結体の外観を傷つけることなく締結手段を覆うシート部材を剥がすことができ、締結部品のネジを覆いデザインを損なうことなく対応することが可能となるという優れた効果を奏し得る。
【００１２】
詳しくは、本発明によれば、締結手段の頭部が没入する凹部の外周外側にシート体が貼着される貼着部を形成し、前記貼着部の貼着されるシート体の外周側端部と重なる位置に締結方向に凹んだ溝部を形成したことで、その溝部に沿ってシート体の裏側にシート剥がし用の治具等の切先を簡単に入り込ませることができるので、溝部以外の外観を傷つけることなく容易にシート体を剥がすことができる。
【００１３】
また、前記貼着部を、被締結体の締結手段取付け側表面から少なくともシート体の厚さよりも低く凹んだ凹部としたことで、シート体が被締結体の外観表面から突出することなく貼り付けることができるので外観を良好にできる。
【００１４】
さらに、前記溝部を貼着部の周縁に沿って形成したことで、シート体を取外す際に、シート剥がし用の治具等の切先が貼着部から外れることなくその周縁に沿ってシート体の裏側に容易に入り込ませることができるので、貼着部以外の外観を傷つけることなく容易にシート体を剥がすことができる。
【発明を実施するための最良の形態】
【００１５】
以下、本発明を実施するための最良の形態について図面を参照して詳細に説明する。
図１（ａ）は本発明に係る実施形態の被締結体の締結手段取付部の構造を示す側面断面図、（ｂ）は前記締結手段取付部の平面図である。
【００１６】
本実施形態は、図１（ａ），（ｂ）に示すように、一部材２に対して締結手段たる皿ねじ３により被締結体４を締結した際に、該皿ねじ３の頭部３ａをシート体の装飾シール５で覆うようにした被締結体の締結手段取付部の構造１である。
【００１７】
一部材２は、皿ねじ３が螺合するねじ孔２ａが形成され、被締結体４を一部材２上に重ね合わせた状態で皿ねじ３により被締結体４を締結固定するようにしたものである。
【００１８】
前記皿ねじ３は、頂部３ａ１が偏平で外周部３ａ２が約４５°の傾斜を呈する円錐状を呈する頭部３ａを有している。
【００１９】
前記被締結体４は、樹脂材で形成され、一部材２と対向する裏面４ｂ側には、皿ねじ３が取付けられるねじ取付部４０が突設されている。前記ねじ取付部４０は、一部材２との当接面４０ａを偏平形状とした略円錐形状に形成されている。
【００２０】
前記被締結体４のねじ取付部４０の外観表面４ａ側には、皿ねじ３の頭部３ａがその表面４ａより没入するように締結方向に沿って円錐状に凹んだ凹部４１が形成されている。この凹部４１の外周外側には、装飾シール５が貼着される貼着部４２が形成されている。
【００２１】
前記装飾シール５は、皿ねじ３の頭部３ａよりも大径の略円状を呈し、表面５ａを被締結体４の外観表面４ａと同様の色または絵柄とされ、裏面５ｂには金属材および樹脂材に貼着可能な接着層が形成されている。
【００２２】
前記貼着部４２は、平面視で装飾シール５よりも大径の略円形状を呈し、外観表面４ａから装飾シール５の厚さよりも低い段付状に形成され、底面４２ａが偏平で内壁面４２ｂが円筒状に形成されている。この底面４２ａに装飾シール５が貼着される。
【００２３】
前記貼着部４２には、内壁面４２ｂの底部の周縁に沿って皿ねじ締結方向に向かい略Ｖ字状に凹んだ溝部４３が形成されている。
この溝部４３は、図１（ｂ）に示すように、貼着される装飾シール５の外周側端部の一部と重なる範囲で、平面視で略三日月状に形成されている。
【００２４】
次に、本実施形態の被締結体の締結手段取付部の構造における被締結体の着脱操作について説明する。
【００２５】
まず、被締結体４を一部材２に締結する場合は、図１（ａ）に示すように、一部材２の取付部２０に被締結体４のねじ取付部４０が位置するように配置し、皿ねじ３により一部材２に被締結体４を締結固定する。
皿ねじ３の頭部３ａをねじ取付部４０の凹部４１に没入させた状態で、該皿ねじ３の頂部３ａ１を覆うように装飾シール５を貼着部４２の底面４２ａに貼り付ける。
【００２６】
次に、一部材２と被締結体４とをメンテナンス（修理）等で分解する場合は、皿ねじ３を取外すために頭部３ａを覆った装飾シール５を剥がす必要がある。
前記装飾シール５を剥がす場合は、図示しないシール剥がし用治具の先端部を貼着部４２に形成された溝部４３に差込み、装飾シール５の端部５ｃの裏側に入り込ませてその端部５ｃを持ち上げ、その端部５ｃから容易に装飾シール５を剥がすことができる。
【００２７】
以上のように構成したので、本実施形態によれば、装飾シール５を貼る貼着部４２に溝部４３を形成したので、そこからシール剥がし用治具の先端部を差し込むことができるので、容易に装飾シール５を剥がすことができる。
【００２８】
尚、本発明の被締結体の締結手段取付部の構造は、上記した実施の形態に限定されるものではなく、本発明の要旨を逸脱しない範囲内において種々変更を加え得ることは勿論である。
【００２９】
例えば、本実施形態では、溝部４３を貼着部４２の内壁面４２ｂの底部の周縁に沿って皿ねじ締結方向に向かい略Ｖ字状に切り込んで形成しているが、本発明は溝部の形状に限定されるものではなく、例えば、Ｕ字形状または凹状に形成して、貼着されたシート体の裏側にシート剥がし治具等の先端部を入り込ませるようにしたものであっても良い。このような構成によっても本実施形態と同様な効果を奏し得る。
【図面の簡単な説明】
【００３０】
【図１】（ａ）は本発明に係る実施形態の被締結体の締結手段取付部の構造を示す側面断面図、（ｂ）は（ａ）のＡ矢視図である。
【図２】（ａ）は従来の被締結体の締結手段取付部の構造を示す側面断面図、（ｂ）は（ａ）のＢ矢視図である。
【符号の説明】
【００３１】
１  被締結体の締結手段取付部の構造
２  一部材
３  皿ねじ（締結手段）
３ａ  頭部
４  被締結体
４ａ  外観表面
５  装飾シール（シート体）
２０  取付部
４０  ねじ取付部（締結手段取付部）
４１  凹部
４２  貼着部
４３  溝部
【図１】
2005331023.tif 000003
【図２】
2005331023.tif 000004